(57)【要約】【課題】本発明は、同じ形状の支持体一対が上下対称で配列された構造を提供することによって、振動吸収性能が持続的に維持され、エアーギャップが支持体に形成されて横方向振動と縦方向振動が支持体部位でも効果的に吸収され、振動吸収性能が増大できる振動吸収用締結具アセンブリーを提供する。【解決手段】本発明に係る振動吸収用締結具アセンブリーは、同じ形状の一対の支持体で構成されて、板材のホールに反対側からそれぞれ嵌め込まれて互いに接触する一対の支持体の内側部位と外側部位が、ホール周り部位およびホール外側板材部位にそれぞれ配置されて該当部位に伝達される振動を吸収するようになる振動吸収用支持体セットと、一対の支持体の内側部位の内周面と接触する外周面を有して、第１貫通ホールが中央部位に形成された第１鍔と、第１貫通ホールに挿入されて第１鍔と連結されて締結ボルトが挿入される第２貫通ホールが中央部位に形成された第２鍔とを含む。【選択図】図２
2018028381.tif 000002
【特許請求の範囲】
【請求項１】
同じ形状からなる一対の支持体（１１０）から構成される振動吸収用支持体セット（１２０）であって、板材（３）のホール（４）に反対側からそれぞれ嵌め込まれて互いに接触する一対の支持体（１１０）の内側部位（１１０ａ）と外側部位（１１０ｂ）が、ホール周り部位（４ａ）およびホール外側板材部位（３ａ）にそれぞれ配置されて該当部位に伝達される振動を吸収するようになる振動吸収用支持体セット（１２０）と、
互いに接触する一対の支持体（１１０）の内側部位（１１０ａ）の内周面と接触する外周面を有し、第１貫通ホール（１３１）が中央部位に形成された第１鍔（１３０）と、
前記第１鍔（１３０）の第１貫通ホール（１３１）に挿入されて第１鍔（１３０）と連結され、締結ボルト（５）が挿入される第２貫通ホール（１４１）が中央部位に形成された第２鍔（１４０）と、を含むことを特徴とする振動吸収用締結具アセンブリー。
【請求項２】
前記振動吸収用支持体セット（１２０）は、
互いに接触する一対の支持体（１１０）が、上下方向の面対称形状からなって、
互いに接触する一対の支持体（１１０）の内側部位（１１０ａ）が、ホール外側板材部位（３ａ）の内周面と前記第１鍔（１３０）の外周面との間に離隔されずに嵌め込まれてホール外側板材部位（３ａ）、互いに接触する一対の支持体（１１０）の内側部位（１１０ａ）、互いに連結された第１鍔（１３０）と第２鍔（１４０）の横方向流動が防止されるようにすることを特徴とする請求項１に記載の振動吸収用締結具アセンブリー。
【請求項３】
支持体（１１０）は、
互いに接触する一対の支持体（１１０）の外側部位（１１０ｂ）をなすようになり、ホール外側板材部位（３ａ）の一側表面に密着されて、設定幅（Ｄ）のリング形状からなる外側フランジ（１１１）と、
互いに接触する一対の支持体（１１０）の内側部位（１１０ａ）をなすようになり、外側フランジ（１１１）から内側方向に延長形成されて、板材（３）のホール（４）に反対側から嵌め込まれた相手側支持体（１１０）と密着されて、設定幅（Ｄ）のリング形状からなる内側コア（１１２）と、が一体をなして形成されたもので、
内側コア（１１２）の幅（ｄ）は、ホール外側板材部位（３ａ）の内周面と第１鍔（１３０）の外周面との間の隔離距離と同じに形成されることを特徴とする請求項２に記載の振動吸収用締結具アセンブリー。
【請求項４】
支持体（１１０）は、内側コア（１１２）と外側フランジ（１１１）の一側表面高さが異なるように形成された２段構造からなり、互いに接触する一対の支持体（１１０）の内側コア（１１２）の外周面外側にホール外側板材部位（３ａ）が隙間空間なく嵌め込まれる嵌め込み溝（１２１）が形成されたことを特徴とする請求項３に記載の振動吸収用締結具アセンブリー。
【請求項５】
支持体（１１０）の内側コア（１１２）は、リング形状の凹部であるエアーギャップ（ａｉｒ ｇａｐ）が一側表面に形成されるようにして、内側コア（１１２）のエアーギャップ（１１２１）によっても振動が吸収されるようにすることを特徴とする請求項４に記載の振動吸収用締結具アセンブリー。
【請求項６】
支持体（１１０）はメッシュからなることを特徴とする請求項４に記載の振動吸収用締結具アセンブリー。
【発明の詳細な説明】
【技術分野】
【０００１】
本発明は、ヒートプロテクター（ヒートシールドまたはヒートインシュレーター）のような板材を設定地点に固定させながら振動／衝撃吸収機能も同時に行う締結具アセンブリーに関し、より詳細には、互いに異なる形状の上下側支持体を使用して組み立てられることにより、部品区分に注意を要する一方、２種の部品を生産しなければならない従来締結具アセンブリーとは異なり、同じ形状の支持体一対が上下面対称で配列されて組み立てられる構造を提供することによって、生産段階での設計最適化／製造原価削減、組み立て段階での便宜性／信頼性増大、製品管理段階での在庫管理便宜性／購買管理便宜性増大が誘導されるようにして、組み立て時部品間の遊びが発生して部品の変形／損傷が発生して振動吸収性能が次第に低下される従来締結具アセンブリーとは異なり、部品間の遊びなしに組み立てられる構造を提供することによって、本来の振動吸収性能が持続的に維持されるようにし、エアーギャップ（ａｉｒ  ｇａｐ）が支持体それ自体に形成されて横方向振動と縦方向振動がエアーギャップが形成された支持体部位でも効果的に吸収されることができて、振動吸収性能が増大できる振動吸収用締結具アセンブリーに関する。
【背景技術】
【０００２】
車両エンジンの排気マニホールドは、エンジン効率の増大に伴う排気ガスの高温化と排気周期の短縮により高い熱エネルギーを持続的に受けることになるため、熱害防止のための熱遮蔽部品であるヒートプロテクター（ｈｅａｔ  ｐｒｏｔｅｃｔｏｒ、ヒートシールドまたはヒートインシュレーターと称されることもある）が取付される場合が一般的である。
【０００３】
一方、車両エンジンは、動作過程で繰り返し振動／騒音を発生させて、車両エンジンから発生した振動は、車両を構成する各構成要素に伝達されて影響を及ぼすことになるため、排気マニホールドに取付されるヒートプロテクターのような板材の固定時振動や衝撃に対する吸収機能も考慮されなければならない。
【０００４】
そこで、韓国登録特許第１０−１５４２９７５号「衝撃緩和用板材締結装置」（特許文献１）、韓国登録番号第１０−１３５３２６３号「振動減衰用締結装置」（特許文献２）、韓国登録番号第１０−０５２８２１７号「ヒートプロテクターのアイソレーター」（特許文献３）等の振動減衰／衝撃緩和機能の締結装置（ｉｓｏｌａｔｏｒ）が開発されて使用されている。
【０００５】
ここで、特許文献１の締結装置は、図１のように振動吸収機能の第１支持体７０と第２支持体８０が互いに異なる形状からなる構成であり、組み立て時下部用部品である第１支持体７０と上部用部品である第２支持体８０を区分して組み立てなければならなかった。これにより、組み立て時作業者に相当な注意が求められて不便が多く、作業者のミスで上部用部品／下部用部品の位置を間違えて逆組み立てしたり、上部用部品／下部用部品のうちいずれか一つだけを二回使用して組み立てるなどの組み立てエラーが発生される可能性が高かった。さらに、上部用部品／下部用部品の２種部品を別々に生産しなければならないため、製品原価が増大し、組み立て現場では上部用部品／下部用部品の２種部品を別々に購入して、保管／利用しなければならないことによって、購買管理および在庫管理に煩わしさが多く、１種の部品がない時でも組み立てが不可能な状況が発生する恐れがあった。
【０００６】
そして、特許文献１をはじめとする従来の板材締結装置の場合、図１のようにエアーギャップ（ａｉｒ  ｇａｐ）の形成のために組み立て時部品間の遊びを発生させる構造であるため、繰り返し振動を受ける過程で部品の横方向流動が随時発生すると共に、支持体をはじめとする関連部品が変形されたり損傷されて、部品の変形／損傷によって部品間の遊びが増大して、耐久性低下と振動吸収性能低下が発生する問題点があった。
【先行技術文献】
【特許文献】
【０００７】
【特許文献１】韓国登録特許第１０−１５４２９７５号公報
【特許文献２】韓国登録特許第１０−１３５３２６３号公報
【特許文献３】韓国登録特許第１０−０５２８２１７号公報
【発明の概要】
【発明が解決しようとする課題】
【０００８】
従って、本発明はこのような従来技術の問題点を改善して、同じ形状からなる一対の支持体が上下対称に配列されて組み立てられる構造を介して、１種の支持体だけの生産で組み立てが可能になることにより、生産段階では設計の最適化と単一生産ラインによる製造原価削減が図られて、組み立て段階では作業者の組み立て便宜性の向上と組み立てエラー防止による組み立て信頼性の増大が図られて、製品管理段階では在庫管理および購買管理の便宜性増大が誘導される新しい形態の振動吸収用締結具アセンブリーを提供することを目的とする。
【０００９】
また、本発明は、上下対称で互いに接触すると共に組み立てられる一対の支持体、ヒートプロテクターのような板材、締結ボルトが挿入される鍔（ｃｏｌｌａｒ）間の遊びなしに互いに組み立てられて結合されることにより、外部から伝達される振動にも部品の横方向流動が防止されて、これにより部品の変形や損傷が防止されることによって、本来の耐久性と振動吸収性能が持続的に維持される新しい形態の振動吸収用締結具アセンブリーを提供することを目的とする。
【００１０】
さらに本発明は、部品間の遊びによるエアーギャップの形成ではなく外側フランジと内側コアからなる支持体それ自体ににエアーギャップ（ａｉｒ  ｇａｐ）が形成される構造であることにより、部品の横方向流動が防止されながらも横方向振動と縦方向振動がエアーギャップが形成された支持体部位でも効果的に吸収できて、このような支持体のエアーギャップによる振動吸収、および、メッシュ構造からなる支持体の本来的な振動吸収が同時的に行われて振動吸収性能が最大化される新しい形態の振動吸収用締結具アセンブリーを提供することを目的とする。
【課題を解決するための手段】
【００１１】
上述した目的を達成するための本発明の特徴によると、本発明は、同じ形状からなる一対の支持体１１０で構成されて、板材３のホール４に反対側からそれぞれ嵌め込まれて 互いに接触する一対の支持体１１０の内側部位１１０ａと外側部位１１０ｂがホール周り部位４ａおよびホール外側板材部位３ａにそれぞれ配置されて該当部位に伝達される振動を吸収するようになる振動吸収用支持体セット１２０と、互いに接触する一対の支持体１１０の内側部位１１０ａの内周面と接触する外周面を有して、第１貫通ホール１３１が中央部位に形成された第１鍔１３０と、第１鍔１３０の第１貫通ホール１３１に挿入されて第１鍔１３０と連結されて、締結ボルト５が挿入される第２貫通ホール１４１が中央部位に形成された第２鍔１４０と、を含むことを特徴とする振動吸収用締結具アセンブリーを提供する。
【００１２】
このような本発明に係る振動吸収用締結具アセンブリーにおいて、振動吸収用支持体セット１２０は、互いに接触する一対の支持体１１０は、上下方向の面対称形状からなって、互いに接触する一対の支持体１１０の内側部位１１０ａが、ホール外側板材部位３ａの内周面と第１鍔１３０の外周面との間に離隔されずに嵌め込まれてホール外側板材部位３ａ、互いに接触する一対の支持体１１０の内側部位１１０ａ、互いに連結された第１鍔１３０と第２鍔１４０の横方向流動が防止されるようにすることができる。
【００１３】
このような本発明に係る振動吸収用締結具アセンブリーにおいて、支持体１１０は、互いに接触する一対の支持体１１０の外側部位１１０ｂをなすようになり、ホール外側板材部位３ａの一側表面に密着されて、設定幅（Ｄ）のリング形状からなる外側フランジ１１１と、互いに接触する一対の支持体１１０の内側部位１１０ａをなすようになり、外側フランジ１１１から内側方向に延長形成されて、板材３のホール４に反対側から嵌め込まれた相手側支持体１１０と密着されて、設定幅（Ｄ）のリング形状からなる内側コア１１２と、が一体をなして形成されたもので、内側コア１１２の幅（ｄ）は、ホール外側板材部位３ａの内周面と第１鍔１３０の外周面との間の隔離距離と同じに形成され得る。
【００１４】
このような本発明に係る振動吸収用締結具アセンブリーにおいて、支持体１１０は、内側コア１１２と外側フランジ１１１の一側表面高さが異なるように形成された２段構造からなり、互いに接触する一対の支持体１１０の内側コア１１２の外周面外側にホール外側板材部位３ａが隙間空間なく嵌め込まれる嵌め込み溝１２１が形成されるようにすることができる。
【００１５】
このような本発明に係る振動吸収用締結具アセンブリーにおいて、支持体１１０の内側コア１１２は、リング形状の凹部であるエアーギャップ（ａｉｒ ｇａｐ）が一側表面に形成されるようにして、内側コア１１２のエアーギャップ１１２１によっても振動が吸収されるようにすることができる。
【００１６】
このような本発明に係る振動吸収用締結具アセンブリーにおいて、支持体１１０はメッシュからなる。
【発明の効果】
【００１７】
本発明に係る振動吸収用締結具アセンブリーによると、同じ形状である１種の支持体一対が上下対称配列されて組み立てられる構造の提供で、生産段階では設計の最適化と単一生産ラインによる製造原価削減が図られて、組み立て段階では作業者の組み立て便宜性の向上と組み立てエラー防止による組み立て信頼性の増大が図られ、製品管理段階では在庫管理および購買管理の便宜性増大が誘導される効果がある。また、本発明に係る振動吸収用締結具アセンブリーによると、部品間の遊びなしに組み立てられる構造の提供で、外部から伝達される振動にも部品の横方向流動が防止されて、これにより部品の変形や損傷が防止されることによって本来の耐久性と振動吸収性能が持続的に維持される効果がある。
【００１８】
これと共に本発明に係る振動吸収用締結具アセンブリーによると、エアーギャップ（ａｉｒ  ｇａｐ）が支持体それ自体に形成されて横方向振動と縦方向振動がエアーギャップが形成された支持体部位でも効果的に吸収される構造の提供で、部品の横方向流動が防止されながらも横方向振動と縦方向振動がエアーギャップが形成された支持体部位でも効果的に吸収されて、このような支持体のエアーギャップのよる振動吸収とメッシュ構造からなる支持体の本来的な振動吸収が同時的に行われて振動吸収性能が最大化される効果がある。
【図面の簡単な説明】
【００１９】
【図１】韓国登録特許第１０−１５４２９７５号公報「衝撃緩和用板材締結装置」の構成を示す図面。
【図２】本発明の実施例に係る振動吸収用締結具アセンブリーの分離断面図および結合断面図を示す図面。
【図３】本発明の実施例に係る振動吸収用締結具アセンブリーの分離斜視図および結合斜視示す図面。
【図４】本発明の実施例に係る振動吸収用支持体セットが同じ形状の支持体で構成されることを示す図面。
【図５】本発明の実施例に係る振動吸収用締結具アセンブリーの設置状態図を示す図面。
【図６】エアーギャップが表面に形成された本発明の実施例に係る支持体の平面図。
【図７】図７の（ａ）と（ｂ）は、本発明の実施例に係る振動吸収用締結具アセンブリーの作用効果を示す図面。
【図８】図８の（ａ）と（ｂ）は、本発明の実施例に係る振動吸収用締結具アセンブリーに対する振動性能テスト写真。
【図９】図９の（ａ）は、振動性能テストに使用された振動吸収用締結具アセンブリーの寸法構成を示す図面で、図９の（ｂ）は、振動性能テストに使用されたブラケットの寸法構成を示す図面。
【図１０】振動性能テスト結果を示す表。
【図１１】振動性能テスト結果を示すグラフ。
【発明を実施するための形態】
【００２０】
以下、添付図面の図２から図１１に基づき、本発明の実施形態に係る歯科麻酔用ハンドピース−ニードルセットについて詳細に説明する。一方、図面及び詳細な説明にいおいて、通常の振動吸収用板材締結、ヒートプロテクター、 金属材質のメッシュなどからこの分野における当業者が容易に類推可能な構成及び作用についての図示及び言及は簡略化または省略した。特に、図面の図示及び詳細な説明において本発明の技術的特徴と直接的に関連しない要素の具体的な技術的構成及び作用についての詳細な説明及び図示は省略し、本発明と関連する技術的構成のみを簡略に図示及び説明した。
【００２１】
本発明の実施例に係る振動吸収用締結具アセンブリー１００は、図２と図３でのように振動吸収用支持体セット１２０、第１鍔１３０、第２鍔１４０を含む構成からなるもので、このような振動吸収用締結具アセンブリー１００は、ヒートプロテクターをはじめとする種々の板材３を種々の構造体１に固定させるようになる。ここで、振動吸収用締結具アセンブリー１００は、締結ボルト５により構造体１に固定される。
【００２２】
振動吸収用支持体セット１２０は、同じ形状からなる一対の支持体１１０で構成されるもので、一対の支持体１１０は、板材３のホール４に反対側からそれぞれ嵌め込まれて接触されるようになる。すなわち、振動吸収用支持体セット１２０は、板材３のホール４の上側から嵌め込まれる支持体１が、上部段１２０ａをなして、板材３のホール４の下側から嵌め込まれる支持体１が、下部段１２０ｂをなす構造を有する。
【００２３】
ここで、本発明の実施例に係る振動吸収用締結具アセンブリー１００は、図２に図示された結合断面図のように互いに接触する一対の支持体１１０の内側部位１１０ａ（結合断面図に図示された一対の一点鎖線内側領域に配置されている部位）がホール周り部位４ａに配置されるようにして、互いに接触する一対の支持体１１０の外側部位１１０ｂ（結合断面図に図示された一対の一点鎖線外側領域に配置されている部位）がホール外側板材部位３ａに配置されるようにする。このように配置される一対の支持体１１０の内側部位１１０ａと外側部位１１０ｂは、該当部位に伝達される振動を吸収するようになる。
【００２４】
一方、本発明の実施例に係る支持体１１０は、図３に図示されたとおりメッシュからなって振動吸収機能増大が図られるようにする。特に支持体１１０は、金属材質のメッシュからなり得るが、これに限定されず、炭素繊維をはじめとする種々の素材からなってもよいことは無論である。ここで、金属材質のメッシュは、ワイヤー形態の鋼材（ｓｔｅｅｌ）が多孔性構造（ｐｏｒｏｕｓ  ｓｔｒｕｃｔｕｒｅ）で固まった成形物からなってもよく、多孔性構造は、スチールで製造されたワイヤーメッシュ（ｗｉｒｅ  ｍｅｓｈ）を重ねて生成させるか、スチールで製造されたワイヤーメッシュ（ｗｉｒｅ  ｍｅｓｈ）を折り曲げた状態で金型やプレス加工等を介して生成させることができる。勿論、支持体１１０は、メッシュ以外の様々な構造と形状の物体からなってもよく、メッシュの構造と製造が前述された事項に制限されるものではない。
【００２５】
ここで、本発明の実施例に係る振動吸収用締結具アセンブリー１００は、図４のように同じ形状の支持体１１０一対を備えた後、一側支持体１１０を基準として他側支持体１１０が逆さまになった状態にする。すなわち、一対の支持体１１０が上下方向に面対称をなすように配列されると共に、板材３のホール４に反対側からそれぞれ嵌め込まれるようにする。
【００２６】
そして、本発明の実施例に係る振動吸収用締結具アセンブリー１００は、 互いに接触する一対の支持体１１０の内側部位１１０ａが、ホール外側板材部位３ａの内周面と第１鍔１３０の外周面との間に離隔されずに嵌め込まれてホール外側板材部位３ａ、互いに接触する一対の支持体１１０の内側部位１１０ａ、互いに連結された第１鍔１３０と第２鍔１４０の横方向流動が防止されるようにすることができる。
【００２７】
ここで、支持体１１０は、外側フランジ１１１と内側コア１１２を含む構成からなり得るが、本発明の実施例に係る支持体１１０は、外側フランジ１１１と内側コア１１２が一体をなして形成された構造を有する。
【００２８】
外側フランジ１１１は、互いに接触する一対の支持体１１０の外側部位１１０ｂをなすもので、ホール外側板材部位３ａの一側表面に密着される。このような外側フランジ１１１は、設定幅（Ｄ）のリング形状からなる。
【００２９】
内側コア１１２は、互いに接触する一対の支持体１１０の内側部位１１０ａをなすもので、外側フランジ１１１から内側方向に延長形成されて、板材３のホール４に反対側から嵌め込また相手側支持体１１０と密着される。このような内側コア１１２は、設定幅（ｄ）のリング形状からなる。ここで、内側コア１１２の幅（ｄ）は、ホール外側板材部位３ａの内周面と第１鍔１３０の外周面との間の隔離距離と同じに形成される。これをとおして接触する一対の支持体１１０の内側部位１１０ａが、ホール外側板材部位３ａの内周面と第１鍔１３０の外周面との間に離隔されずに嵌め込まれるようになる。これにより、図５のように互いに接触する一対の支持体１１０の内側部位１１０ａ、互いに連結された第１鍔１３０と第２鍔１４０の横方向流動が防止されて、これをとおして各部品の変形／損傷が防止されると共に、製品本来の耐久性が維持されると同時に製品本来の振動吸収性能が持続的に維持されることができるようになる。
【００３０】
一方、 支持体１１０の内側コア１１２は、 図６に示すように、リング形状の凹部であるエアーギャップ（ａｉｒ ｇａｐ）が一側表面に形成されるようにして、内側コア１１２のエアーギャップ１１２１によっても振動が吸収されるようにすることができる。ここで、本発明の実施例に係る振動吸収用締結具アセンブリー１００は、横方向振動および縦方向振動のいずれに対して増大された振動吸収機能を行うようになるが、これは互いに接触した一対の支持体１１０が上下対称構造からなる一方、各支持体１１０でのエアーギャップ形成部位が、エアーギャップ（１１２１）を基準として左右対称構造からなるためである。
【００３１】
すなわち、本発明の実施例に係る振動吸収用締結具アセンブリー１００は、図７の（ａ）のように横方向振動がメッシュで形成された支持体１１０の本来的な振動吸収、エアーギャップ１１２１による振動吸収、エアーギャップ１１２１で形成される支持体１１０の板スプリング構造によって発生する設計構造的弾性による振動吸収が同時的に行われて振動吸収性能が増大する。
【００３２】
また、本発明の実施例に係る振動吸収用締結具アセンブリー１００は、図７の（ｂ）のように縦方向振動がメッシュで形成された支持体１１０の本来的な振動吸収、エアーギャップ１１２１による振動吸収、エアーギャップ１１２１で形成される支持体１１０の板スプリング構造によって発生する設計構造的弾性による振動吸収が同時的に行われて振動吸収性能が増大する。
【００３３】
第１鍔１３０は、互いに接触する一対の支持体１１０の内側部位１１０ａの内周面と接触する外周面を有するもので、第１貫通ホール１３１が中央部位に形成されて第２鍔１４０が挿入できるようにする。
【００３４】
第２鍔１４０は、第１鍔１３０の第１貫通ホール１３１に挿入されて第１鍔１３０と連結されるもので、第２貫通ホール１４１が中央部位に形成されて締結ボルト５が挿入できるようにする。
【００３５】
ここで、本発明の実施例に係る第１鍔１３０と第２鍔１４０は、中空型円筒体形状の中心コア１３２、１４２と、中心コア１３２、１４２の下部段から外側に水平に延長形成される固定フランジ１３３、１４３からなるが、固定フランジ１３３、１４３は、設定幅（Ｗ、ｗ）のリング形状からなって互いに接触する一対の支持体１１０の表面に密着される。固定フランジ１３３、１４３の幅（Ｗ、ｗ）は、設計条件に応じて多様に設定されてもよい。
【００３６】
このような本発明の実施例に係る振動吸収用締結具アセンブリー１００（「ジンヨン製品」と表記）の振動吸収性能を競争会社製品と比較して評価するために、ＫＳ  Ｒ  １０３４自動車部品振動試験方法を適用した振動試験を図８のように行った。振動試験で使用された加振装置は、ＩＭＶ振動試験機で、周波数帯域０〜２０００Ｈｚ（５０Ｈｚ単位で分割して測定）、加速度０〜４．５Ｇ（周波数別に加速度値指定）、加振幅０．４ｍｍの試験条件で運用されて、図９の（ａ）と（ｂ）に図示された寸法の振動吸収用締結具アセンブリー１００とブラケットが振動試験で使用された。このような振動試験結果は、図１０と図１１に図示されている。図１０を見ると、加振入力平均値２．０２１６に対し競争会社製品が２．５１１３の振動出力平均値を有するのに対して、本発明の振動吸収用締結具アセンブリー１００が１．３０３０の振動出力平均値を有することから、優れた振動吸収性能を有することが確認される。図１１を見ると、周波数別加振入力値に対応する振動出力値が本発明の振動吸収用締結具アセンブリー１００の場合、一部区間を除いた大部分の周波数範囲で低くなっており、優れた振動吸収性能を有することが確認される。
【００３７】
前記のとおり構成された 本発明の実施例に係る振動吸収用締結具アセンブリー１００は、同じ形状からなる一対の支持体が上下対称に配列されて組み立てられる構造を介して、生産段階では設計の最適化と単一生産ラインによる製造原価削減が図られて、組み立て段階では作業者の組み立て便宜性の向上と組み立てエラー防止による組み立て信頼性の増大が図られて、製品管理段階では在庫管理および購買管理の便宜性増大が誘導される。そして、本発明の実施例に係る振動吸収用締結具アセンブリー１００は、上下対称で互いに接触すると共に組み立てられる一対の支持体、ヒートプロテクターのような板材、締結ボルトが挿入される鍔（ｃｏｌｌａｒ）間の遊びなしに互いに組み立てられて結合されることにより、外部から伝達される振動にも部品の横方向流動が防止されて、これにより部品の変形や損傷が防止されることによって、本来の耐久性と振動吸収性能が持続的に維持される。また、本発明の実施例に係る振動吸収用締結具アセンブリー１００は、部品間の遊びによるエアーギャップの形成ではなく外側フランジと内側コアからなる支持体それ自体ににエアーギャップ（ａｉｒ  ｇａｐ）が形成される構造であることにより、部品の横方向流動が防止されながらも横方向振動と縦方向振動がエアーギャップが形成された支持体部位でも効果的に吸収できて、このような支持体のエアーギャップによる振動吸収とメッシュ構造からなる支持体の本来的な振動吸収が同時的に行われて振動吸収性能が最大化される。
【００３８】
以上、添付図面に基づき、本発明の実施形態に係る振動吸収用締結具アセンブリーについて説明したが、これは単なる例示に過ぎず、本発明の技術的思想を逸脱しない範囲内において種々の変形及び変更が可能であるということはこの分野における通常の技術者にとって自明である。
【符号の説明】
【００３９】
１    構造体
３    板材
３ａ  ホール外側板材部位
４    ホール
４ａ  ホール周り部位
５    締結ボルト
１００  振動吸収用締結具アセンブリー
１１０  支持体
１１０ａ  一対の支持体 内側部位
１１０ｂ  一対の支持体 外側部位
１１１  外側フランジ
１１２  内側コア
１１２１  エアーギャップ
１２０  振動吸収用支持体セット
１２０ａ  上部段
１２０ｂ  下部段
１２１  嵌め込み溝
１３０  第１鍔
１３１  第１貫通ホール
１３２  中心コア
１３３  固定フランジ
１４０  第２鍔
１４１  第２貫通ホール
１４２  中心コア
１４３  固定フランジ
【図１】
2018028381.tif 000003
【図２】
2018028381.tif 000004
【図３】
2018028381.tif 000005
【図４】
2018028381.tif 000006
【図５】
2018028381.tif 000007
【図６】
2018028381.tif 000008
【図７】
2018028381.tif 000009
【図８】
2018028381.tif 000010
【図９】
2018028381.tif 000011
【図１０】
2018028381.tif 000012
【図１１】
2018028381.tif 000013